(57)【要約】  眼底検査装置１０であって、患者の少なくとも一方の眼を検査位置に位置付けるための基準を設けられているフレーム１１と、フレーム１１に固定されている検査ユニット１００であり、検査位置基準に一致して入射する光軸を有する第１の光学ユニット１２と、画像検出デバイス１３と、検出デバイス１３に入射する光軸を有する合焦のための第２の光学ユニット１４であって、検査ユニット１００内に、第２の光学ユニット１４を通る第１の光学ユニット１２と検出デバイス１３との間の光路が画定されている、第２の光学ユニット１４と、眼底を検出デバイス１３上に合焦するための基準としての役割を果たすことが可能な合焦パターンを検査位置基準に向けて投影するのに適した第１の照明ユニット１５であって、合焦パターンは、赤外線放射によって形成される、第１の照明ユニット１５とを備える。第１の照明ユニット１５は、第２の光学ユニット１４と検出デバイスとの間に配置される第１の放出位置から合焦パターンを放出する。
2016514536.tif 000002
【特許請求の範囲】
【請求項１】
ユーザの少なくとも一方の眼を検査位置に位置付けるための基準を設けられているフレーム（１１）と、前記フレーム（１１）に固定されている検査ユニット（１００）とを備える眼底検査装置（１０）において、
前記検査位置に一致して入射する光軸を有する第１の光学ユニット（１２）と、
画像検出デバイス（１３）と、
前記検出デバイス（１３）に入射する光軸を有する合焦のための第２の光学ユニット（１４）であって、前記検査ユニット（１００）内に、第２の光学ユニット（１４）を通る前記第１の光学ユニット（１２）と前記検出デバイス（１３）との間の光路が画定されている、第２の光学ユニット（１４）と、
眼底を前記検出デバイス（１３）上に合焦するための基準としての役割を果たすことが可能な合焦パターンを前記検査位置に向けて投影するのに適した第１の照明ユニット（１５）であって、前記合焦パターンは、赤外線放射によって形成される、第１の照明ユニット（１５）と、
を備え、
前記第１の照明ユニット（１５）は、前記第２の光学ユニット（１４）と前記検出デバイスとの間に配置される第１の放出位置から前記合焦パターンを放出することを特徴とする、眼底検査装置（１０）。
【請求項２】
前記第１の照明ユニット（１５）は、
前記合焦パターンを投影するのに適した第１の照明手段（１５ａ）と、
前記検査位置に向けて光信号を投影するのに適した第２の照明手段（１５ｂ）であって、前記光信号は、可視光によって形成され、前記検査されるべき眼の光学的配列を安定したままにするために検査されるべき眼によって固定されるのに適している、第２の照明手段（１５ｂ）と、
を備えることを特徴とする、請求項１に記載の眼底検査装置（１０）。
【請求項３】
前記検査ユニット（１００）は、第２の放出位置から光ビームを投影するのに適した第２の照明ユニット（１６）を備え、前記照明ビームは、前記検査位置に向けて方向付けられ、
選択的に、
前記検出デバイス（１３）上で反射される前記眼底の画像を得るために前記眼底を照明するのに適した可視光又は赤外光、
前記検査装置（１０）を前記検査されるべき眼に対して整列させるための赤外線放射から構成される整列パターン
から形成され、
前記第２の放出位置は、前記第１の光学ユニット（１２）と前記第２の光学ユニット（１４）との間に配置されることを特徴とする、請求項１又は２に記載の眼底検査装置（１０）。
【請求項４】
前記第２の照明ユニット（１６）は、
前記第１の光学ユニット（１２）と前記第２の光学ユニット（１４）との間で前記フレーム（１１）に固定されており、光放射に対して透過性であるか又は穿孔されており、前記主光軸（Ａ）が交差する動作部（Ｂ）を有する支持部（１７）と、
前記検出デバイス（１３）上で反射される前記眼底の画像を得るために可視光又は赤外光を放出するのに適した、前記支持部（１７）に固定されている第３の照明手段（１８）と、
前記整列パターンを投影するのに適した、前記支持部（１７）に固定されている第４の照明手段（１９）と、
を備えることを特徴とする、請求項３に記載の眼底検査装置（１０）。
【請求項５】
前記照明手段はオン・ボードＬＥＤチップを含むことを特徴とする、請求項１から４のいずれか一項に記載の眼底検査装置（１０）
【請求項６】
前記検出デバイス（１３）を、前記検査されるべき眼底から入来しない光から遮蔽するのに適した光学フィルタリング手段を備えることを特徴とする、請求項１から５のいずれか一項に記載の眼底検査装置（１０）。
【請求項７】
前記第１の光学ユニット（１２）は、２つの異なる眼を検査するために隣り合って配置され、互いから離間されて、２つの検査位置に向けられている２つの第１の光学ユニット（１２’、１２’’）を備え、前記第２の光学ユニット（１４）と前記第１の光学ユニット（１２’、１２’’）との間に延伸する２つの代替的な光路分岐を実現するために、前記第１の光学ユニット（１２’、１２’’）と前記第２の光学ユニット（１４）との間に配置された反射手段が設けられていることを特徴とする、請求項１から６のいずれか一項に記載の眼底検査装置（１０）。
【請求項８】
前記第１の光学ユニット（１２’、１２’’）の間の相互距離を調整するための駆動手段を備えることを特徴とする、請求項７に記載の検査装置。
【請求項９】
前記反射手段は、
各々が前記第１の光学ユニット（１２’、１２’’）の光軸のうちの対応するものを妨げるように配置されている２つの固定ミラー（２２ａ及び２２ｂ）と、
前記第２の光学ユニット（１４）の光軸を妨げるように配置され、前記固定ミラー（２２ａ及び２２ｂ）へ光を向け、又は、前記固定ミラーからの光を受け取るために前記固定ミラー（２２ａ及び２２ｂ）のうちの一方に向けて選択的に配向可能な可動ミラー（２３）と、
を備えることを特徴とする、請求項７又は８に記載の検査装置（１０）。
【請求項１０】
２つの異なる眼を同時に、又は迅速に連続して検査するために隣り合っており、２つの検査位置に向けられている２つの検査ユニットを備えることを特徴とする、請求項１から６のいずれか一項に記載の眼底検査装置（１０）。
【発明の詳細な説明】
【技術分野】
【０００１】
本発明の研究成果（ｆｉｎｄｉｎｇ）は、眼底検査装置に関する。
【０００２】
特に、本発明の眼底検査装置は、眼底の観察（ｖｉｓｉｏｎ）及び写真による再現（ｐｈｏｔｏｇｒａｐｈｉｃ  ｒｅｐｒｏｄｕｃｔｉｏｎ）に適した装置の分類に入る。
【０００３】
本発明の眼底検査装置は、網膜の観察及び／又は写真による再現に特に適している。
【０００４】
したがって、本発明は、眼の検査の光学デバイスの分野に属する。
【背景技術】
【０００５】
今日、眼底検査装置の分野において、特に、近赤外線放射を使用して眼底に合焦することを可能にする従来の装置が知られている。
【０００６】
この合焦のための放射は患者には見えず、それによって、そうでなければ強い可視光によって誘起されることになる瞳孔の収縮が防止される。
【０００７】
詳細には、この従来の眼底検査装置は、その上に顔が載置される顔支持部に向けられている光学ヘッドを備える。
【０００８】
顔が顔支持部上に載置されるとき、一方の眼が光学ヘッドに向けられている所定の検査位置にある。
【０００９】
光学ヘッドの内部には、画像検出デバイスが設けられ、その前には、同軸上にあり、検査位置基準に一致して入射する主光軸を画定する２つの光学ユニットがある。
【００１０】
検出デバイスと第２の光学ユニットとの間に配置されている、これらの光学ユニットのうちの第１の光学ユニットは、眼底を検出デバイス上に合焦するのに適しており、この目標のために、主光軸に沿って可動なレンズを備えている。
【００１１】
眼底を照明するために、主光軸を横断し、主光軸に交差する補助光軸を有する照明デバイスが設けられる。
【００１２】
この照明デバイスは、補助光軸に沿って整列されている、可視光を生成するのに適したランプと、合焦のために眼底に照射するのに適したＩＲ放射器とを備える。
【００１３】
主光軸が補助光軸と交差するところに、ランプ及び／又はＩＲ放射器によって生成される放射線を、検査位置基準に向けて反射するのに適した反射デバイスが配置される。
【００１４】
ＩＲ放射器と反射デバイスとの間には、可視光放射を透過しＩＲ放射線に対しては不透過性の被覆によって得られる基準マークを設けられた小さい透明プレートが配置される。
【００１５】
眼底によって反射され、検出デバイス上に形成される基準マークの画像品質は、眼底が検出デバイスと共役されているか否か、すなわち、合焦されているか否かを示す。
【００１６】
この基準マーク画像は、眼底が合焦されていないときは明瞭でない。
【００１７】
合焦のために、第１の光学ユニットの可動レンズは、基準マークの明瞭な像が得られるまで主光軸に沿って動かされる。
【００１８】
検出デバイスを小さい透明プレートと共役されたままにするために、小さい透明プレートが可動レンズと同期して動かされる。
【００１９】
この従来の眼底検査装置の欠点は、小さいプレートと可動レンズとの同期した動きを保証するために、構造が複雑になっていることである。
【００２０】
さらに、従来の眼底検査装置の分野における、本発明者らが特に意識している問題は、検査されるべき眼の光学的配列が、検査中又は合焦中に、たとえば、患者の意識的又は無意識的な動きに従って変化する可能性があることに関する。
【００２１】
実際には、患者が自身の眼の焦点を自身の眼から異なる距離に動かす場合、結晶レンズはその配列を変化させ、検出デバイスに対する眼底の合焦損失を判定する。
【発明の概要】
【発明が解決しようとする課題】
【００２２】
本発明の基礎となる問題は、従来の眼底検査装置の構造を単純化することである。
【００２３】
本発明の研究成果の主要な課題は、上述した眼底検査装置の訴えられている欠点を解消する、そのような問題に対する解決策を見出す眼底検査装置を実現することにある。
【００２４】
そのような課題の範囲内で、本発明の研究成果の目標は、従来のものと比較して、主光軸に対する横断方向におけるサイズがより小さい眼底検査装置を提案することである。
【００２５】
本発明の研究成果の別の目標は、記載されている従来の眼底検査装置と比較して採用する光学構成要素、すなわち、レンズ又は光学ユニットがより少ない眼底検査装置を実現することにある。
【００２６】
さらに、本研究成果のさらなる目標は、上述した従来の眼底検査装置と比較して、維持管理がより容易である眼底検査装置を提案することにある。
【００２７】
さらに、本研究成果のさらなる目標は、網膜基底部写真画像を、従来の眼底検査装置よりも迅速に取得することを可能にする眼底検査装置を提案することにある。
【００２８】
本研究成果の別のさらなる目標は、網膜基底部写真画像を、従来の眼底検査装置よりも効率的に取得することを可能にする眼底検査装置を提案することにある。
【課題を解決するための手段】
【００２９】
この課題、並びに後により明らかになるこれらの及び他の目標は、本明細書に添付する特許請求項１による眼底検査装置によって達成される。
【００３０】
本研究成果による眼底検査装置の詳細な特性は、従属請求項において報告する。
【００３１】
本研究成果のさらなる特性及び利点は、添付の図面に限定ではなく指標とすることを目的として示されている、本研究成果による眼底検査装置の１つの排他的ではない好適な実施例の記載から、はるかにより明白になる。
【図面の簡単な説明】
【００３２】
【図１】定型化された（ｓｔｙｌｉｚｅｄ）検査されるべき眼に向けられている検査ユニットに関する、本研究成果による眼底検査装置の詳細の簡略図である。
【図２ａ】第１の照明ユニットに関する、図１の眼底検査装置の詳細の１つの代替的な変形形態を示す図である。
【図２ｂ】第１の照明ユニットに関する、図１の眼底検査装置の詳細のもう１つの代替的な変形形態を示す図である。
【図３】本研究成果による眼底検査装置の第１の変形形態の簡略図である。
【図４】眼底検査装置の簡略図である。
【図５ａ】本研究成果による眼底検査装置の代替的な簡略図である。
【図５ｂ】本研究成果による眼底検査装置の代替的な簡略図である。
【図５ｃ】本研究成果による眼底検査装置の代替的な簡略図である。
【図５ｄ】本研究成果による眼底検査装置の代替的な簡略図である。
【発明を実施するための形態】
【００３３】
前述の図面を特に参照すると、眼底の観察及び写真による再現に適した眼底検査装置が全体的に１０によって示されている。
【００３４】
本発明の眼底検査装置１０は、網膜の観察及び／又は写真による再現に特に適している。
【００３５】
構造的に、眼底検査装置１０は、ユーザの少なくとも一方の眼を検査位置に位置付けるための基準を設けられているフレーム１１と、フレーム１１に固定されている検査ユニット１００とを備える。
【００３６】
そのような基準は、フレーム１１に対して調整可能であり、ユーザが自身の顔を顔支持部上に載置すると、自身の一方又は両方の眼を上記検査位置に提示するように成形される場合に、従来の顔支持部によって制定することができる。
【００３７】
検査ユニット１００は、
検査位置基準に入射する光軸を有する第１の光学ユニット１２と、
画像検出デバイス１３と、
検出デバイス１３に入射する光軸を有する合焦のための第２の光学ユニット１４と
を備える。
【００３８】
好ましくは、第２の光学ユニット１４は、眼底を検出デバイス１３上で合焦するために第２の光学ユニット１４の光軸に沿って可動である少なくとも１つのレンズ１４ａを備える。
【００３９】
検査ユニット１００において、光路は第１の光学ユニット１２と検出デバイス１３との間に配置され、第２の光学ユニット１４を通過する。
【００４０】
第２の光学ユニット１４の光軸は好ましくは第１の光学ユニット１２の光軸と一致し、検査ユニット１００の主光軸Ａを画定する。
【００４１】
検査ユニット１００はまた、本質的に従来通りに眼底を検出デバイス１３上に合焦するための基準としての役割を果たすことが可能な合焦又は集束パターンを検査位置基準に向けて投影するのに適した第１の照明ユニット１５をも備える。
【００４２】
上記合焦パターンは、赤外線放射によって、特に、近赤外線、すなわち、実質的に７００ｎｍ〜９８０ｎｍに含まれる波長を有する放射によって形成される。
【００４３】
本研究成果によれば、眼底検査装置１０は、第１の照明ユニット１５が、第２の光学ユニット１４と上記検出デバイス１３との間に配置される第１の放出位置から上記合焦パターンを放出するという点において、特定の特性を提示する。
【００４４】
したがって、本研究成果によれば、専門用語では投影経路と称される、合焦パターンの投影光路と、専門用語ではイメージング経路と称される、得られるべき画像の経路とが、眼底と上述した第１の位置との間に延伸する距離について共通であるため、眼底検査装置１０において、従来の装置においてそうなるように、合焦パターンのソースを合焦レンズと同期して動かす必要性が回避される。
【００４５】
第１の照明ユニット１５は、特に好適には、
上記合焦パターンを投影するのに適した第１の照明手段１５ａと、
上記検査位置に向けて光信号を投影するのに適した第２の照明手段１５ｂであって、上記光信号は、可視光によって形成され、検査されるべき眼の光学的配列を安定したままにするために検査されるべき眼によって固定されるのに適している、第２の照明手段１５ｂと
を備える。好ましくは、第１の照明手段１５ａ及び第２の照明手段１５ｂは、支持部１５ｃに固定され、第２の光学ユニット１４の光軸を横断する光放出方向を有する。
【００４６】
上記放出方向と第２の光学ユニット１４の光軸とが交差するところに、特に好適には、図面において参照符号２１によって示されている、専門用語ではビーム・スプリッタと称される、光ビームの分割器が設けられる。
【００４７】
このビーム・スプリッタ２１は、上記第１の放出位置に配置され、第１の照明手段１５ａ及び第２の照明手段１５ｂから入来する光放射を第２の光学ユニット１４に向け、第２の光学ユニット１４から入来する光放射を検出デバイス１３に向けるのに適している。
【００４８】
図２ａを特に参照すると、第１の照明手段１５ａ及び第２の照明手段１５ｂは、特に好適には、支持部１５ｃ上に直に組み付けられるオン・ボードＬＥＤチップによって実現される。
【００４９】
そのような事例において、第１の照明手段１５ａを形成するオン・ボードＬＥＤチップのいくつかを選択的に操作して、複数の代替的な合焦パターンを実現することができる。
【００５０】
代替的に、図２ｂによれば、支持部は、２つの支持プレート、すなわち、第２の照明手段１５ｂを支持する前方の支持プレート、及び、第１の照明手段１５ａを支持する後方の支持プレートから構成することができる。
【００５１】
上述した前方のプレート上で、光ビーム内で、第１の照明手段１５ａによって生成される光を搬送するのに適したいくつかのスリット１５ｃが実現される。
【００５２】
実際には、患者が第２の照明手段１５ｂによって生成される光信号を見つめるとき、患者は、自身の眼を配向及び合焦の両方において固定したままにし、したがって、より迅速で効率的に眼底を検査することが可能になる。
【００５３】
好ましくは、第２の照明手段１５ｂは、オンにされている光信号を見つめている眼の同じ数の異なる配向を誘導することが可能になるように、図２ａにおいて全体が黒色の四角形によって例示されている複数の異なる所定の位置から光信号を放出することを可能にする。
【００５４】
検査ユニット１００は、特に好適には、第２の放出位置から光ビームを投影するのに適した第２の照明ユニット１６をも備え、上記照明ビームは、上記検査位置に向けて方向付けられ、選択的に、
検出デバイス１３上で反射される眼底の画像を得るために眼底を照明するのに適した可視光又は赤外光、
検査装置１０を検査されるべき眼に対して整列させるように機能する赤外線放射から構成される整列パターン
から形成される。
【００５５】
上記第２の放出位置は、特に好適には、第１の光学ユニットと第２の光学ユニットとの間に配置される。
【００５６】
好ましくは、第２の照明ユニット１６は、第１の光学ユニット１２を通じて上記整列パターンを投影するために、第１の光学ユニット１２に向けられる。
【００５７】
効果的には、検出デバイス１３によって眼底上に見られる整列パターンの画像は、検査されるべき眼に対する検査ユニット１００の正確な距離、及び、第１の光学ユニット１２の光軸に対する検査されるべき眼の位置に関する情報を提供する。
【００５８】
特に、瞳孔及び第２の照明ユニット１６が第１の光学ユニット１２に対して共役されていない場合、検出デバイス１３によって眼底上に見られる整列パターンの画像は不鮮明である。
【００５９】
検査装置１０は、特に好適には、検出デバイス１３によって検出される整列パターンの画像を処理しその結果として、本質的に従来通りに、検査ユニット１００及び検査されるべき眼の相互位置（ｒｅｃｉｐｒｏｃａｌ  ｐｏｓｉｔｉｏｎ）を調整するのに適した電子デバイスを備える。
【００６０】
好ましくは、フレーム１１は、
上記基準が設けられている基部１１ａと、
検査ユニット１００が固定される光学ヘッド１１ｂと、
好ましくは３つの軸に従って、基部１１ａを検査されるべき眼に整列させるために、光学ヘッド１１ｂを基部１１ａに対して動かすための駆動手段と
を備える。
【００６１】
特に好適には、上述した電子デバイスは、基部１１ａに対する光学ヘッド１１ｂに対する位置付けを駆動するために、上述した駆動手段に接続される。
【００６２】
照明ユニット１６は好ましくは、
第１の光学ユニット１２と第２の光学ユニット１４との間でフレーム１１に固定されており、光放射に対して透過性であるか又は穿孔されており、主光軸Ａが交差する動作部Ｂを有する支持部１７と、
上記検出デバイス１３上で反射される眼底画像を得るために可視光又は赤外光を放出するのに適した、支持部１７に固定されている第３の照明手段１８と、
上記整列パターンを投影するのに適した、支持部１７に固定されている第４の照明手段１９と
を備える。
【００６３】
特に好適には、第３の照明手段１８及び第４の照明手段１９もまた、オン・ボードＬＥＤチップを含む。
【００６４】
眼底検査装置１０は、特に好適には、検出デバイス１３を、検査されるべき眼底から入来しない光から遮蔽するのに適した光学フィルタリング手段を備える。
【００６５】
第１の実施例において、上記フィルタリング手段は、検査ユニット１００の一部分であり、好ましくは、
偏光光学フィルタ２０ａ、２０ｂと、
イメージング経路及び投影経路が大部分において一致していることに起因し得る、可能性のある反射をなくすか又は少なくとも減衰させるのに適した偏光ビーム・スプリッタ２１と、
の間で選択される。
【００６６】
偏光フィルタ２０ａ及び２０ｂは、特に好適には、
第１の照明ユニット１５の正面に配置される、第１の偏光を有する光に対しては透過性であり、第２の偏光を有する光に対しては不透過性である第１の光学フィルタ２０ａ、
検出デバイス１３の正面に配置される、上記第２の偏光を有する光に対しては透過性であり、上記第１の偏光を有する光に対しては不透過性である第２の光学フィルタ２０ｂ
を含む。
【００６７】
ビーム・スプリッタ２１は、特に好適には、所与の偏光を有する光ビームが第１の照明ユニット１５から上記検査位置へと通過することを可能にし、コンテクストによって上記所与の偏光を有する光が検出デバイス１３に向けて通過することを妨げるように偏光されている。
【００６８】
実際には、上述したフィルタリング手段は、光学構成要素及び角膜から検出デバイス１３に向けて反射される偏光をなくし、代わりに、眼底から反射される光が検出デバイス１３に向けて通過することを可能にする。これは、眼底から反射される光が偏光解消されているためである。
【００６９】
図５ａ〜図５ｄを特に参照すると、これらの図面には、上記フィルタリング手段の代替の実施例のために異なっている、本発明の研究成果の概略的で代替えの実施例が示されている。
【００７０】
特に、図５ａによれば、上記フィルタリング手段は、特に好適には、
上記第３の照明手段１８の正面に配置される、第１の偏光を有する可視光に対しては透過性であり、第２の偏光を有する可視光に対しては不透過性である第１のフィルタＦ１と、
上記第１の照明ユニットの正面に配置される、第３の偏光を有する赤外光に対しては透過性であり、第４の偏光を有する赤外光に対しては不透過性である第２のフィルタＦ２と、
検出デバイス１３の正面に配置される、上記第２の偏光を有する可視光及び上記第４の偏光を有する赤外光に対しては透過性であり、上記第１の偏光を有する可視光及び上記第３の偏光を有する赤外光に対しては不透過性である第３の光学フィルタＦ３と
を含む。
【００７１】
代替形態として、図５ｂによれば、上記フィルタリング手段は、特に好適には、
上記第３の照明手段１８の正面に配置される、第１の偏光を有する可視光に対しては透過性であり、第２の偏光を有する可視光に対しては不透過性である第１のフィルタＦ１と、
上記第２の偏光を有する可視光及び第３の偏光を有する赤外光に対しては透過性であり、上記第１の偏光を有する可視光及び上記第３の偏光とは異なる上記第４の偏光を有する赤外光に対しては不透過性であるように偏光されているビーム・スプリッタ２１と
を備える。
【００７２】
再び、図５ｃに示されている別の代替形態において、上記フィルタリング手段は、特に好適には、
上記第３の照明手段１８の正面に配置される、第１の偏光を有する可視光に対しては透過性であり、第２の偏光を有する可視光に対しては不透過性である第１のフィルタＦ１と、
検出デバイス１３の正面に配置される、同じく上記第２の偏光を有する可視光に対しては透過性であり、上記第１の偏光を有する可視光に対しては不透過性である第２のフィルタＦ１’と
を備える。
【００７３】
この最後のソリューションの変形形態においては、第２のフィルタＦ１’と検出デバイス１３との間に置かれるさらなる光学ユニットを提供することが可能である。
【００７４】
図５ｄに示されている別のさらなる代替形態において、上記フィルタリング手段は、特に好適には、
上記第３の照明手段１８の正面に配置される、第１の偏光を有する可視光に対しては透過性であり、上記第１の偏光とは異なる第２の偏光を有する可視光に対しては不透過性である第１のフィルタＦ１と、
第２の光学ユニット１４の正面に配置される、同じく上記第２の偏光を有する可視光に対しては透過性であり、上記第１の偏光を有する可視光に対しては不透過性である第２のフィルタＦ１’と
を備える。
【００７５】
限定ではなく例として図３に示されている本発明の研究成果の第１の実施例の変形形態において、検査装置１０は、特に好適には、２つの異なる眼を検査するために隣り合って配置され、互いから離間されて、２つの検査位置に向けられている２つの第１の光学ユニット１２’及び１２’’を備える。
【００７６】
さらに、特に好適には、第２の光学ユニット１４と第１の光学ユニット１２’及び１２’’との間に延伸する２つの代替的な光路分岐Ａ’及びＡ’’を実現するために、第１の光学ユニット１２’及び１２’’と第２の光学ユニット１４との間に配置される反射手段が提供される。
【００７７】
好ましくは、２つの第１の光学ユニット１２’と１２’’との間の相互距離Ｃを、検査されるべき眼を分離する距離にそのような距離Ｃを適合させるように調整するための駆動手段が提供される。
【００７８】
好ましくは、上記反射手段は、
各々が第１の光学ユニット１２’及び１２’’の光軸のうちの対応するものを妨げるように配置されている２つの固定ミラー２２ａ及び２２ｂと、
第２の光学ユニット１４の光軸を妨げるように配置され、上記固定ミラー２２ａ及び２２ｂへ光を向け、又は、当該固定ミラーからの光を受け取るために固定ミラー２２ａ及び２２ｂのうちの一方に向けて選択的に配向可能な可動ミラー２３と
を備える。
【００７９】
実際には、２つの第１の光学ユニット１２’及び１２’’は各々、以下に説明するように好ましくは連続して対応する眼に対して整列される。
【００８０】
第１の光学ユニット１２’及び１２’’のうちの第１のユニット１２’を対応する眼に整列させるために、予め、可動ミラー２３が、第１の固定ミラー２２ａに向けて及び検出デバイス１３に向けて反射する第１の構成に配置され、その後、第１の光学ユニット１２’及び１２’’のうちの第１のユニット１２’が、本質的に従来通りに対応する眼に対して整列される。
【００８１】
その後、第１の光学ユニット１２’及び１２’’のうちの第２のユニット１２’’を対応する眼に整列させるために、可動ミラー２３が予め、第２の固定ミラー２２ｂに向けて及び検出デバイス１３に向けて反射する第２の構成に配向され、その後、第１の光学ユニット１２’及び１２’’のうちの第２のユニット１２’’の対応する眼に対する整列が本質的に従来通りに、第１の光学ユニット１２’及び１２’’のうちの第１のユニット１２’の整列を変更しないように留意しながら実行される。
【００８２】
その後、上記第１の構成から上記第２の構成へ、又はその逆に可動ミラーを迅速に遷移させることによって、両方の眼の眼底の画像検出が迅速に連続して実行される。
【００８３】
本発明の研究成果による検査装置１０は、前述のように、患者の両眼の眼底画像を、無視できる範囲の時間内に、すなわち、患者の眼が反応する範囲よりも短い時間内に取得することを可能にする。
【００８４】
言い換えれば、眼底画像の２回の連続する取得の間の経過時間は好ましくは、１００ｍｓ未満であり、すなわち、撮像されるべき眼底を照明するために第３の照明手段１８によって生成される２回の連続したフラッシュを患者が知覚するのに必要とされる時間よりも短い。
【００８５】
本発明の研究成果の代替的な実施例において、光学ユニット１２’及び１２’’は一定の固定距離を置かれる。
【００８６】
そのような実施例によれば、最初に、第１の眼に対する第１の接眼ユニット１２’の整列が実現され、その後、第１の眼の写真が撮影される。
【００８７】
その後、第２の眼に対する第２の接眼ユニット１２’’の整列が実現され、第２の眼の写真が撮影される。
【００８８】
そのような実施例には、２つの光学ユニット１２’と１２’’との間の相互距離を調整する手段を提供しない単純な構造を可能にし、さらには同時に、両方の眼底を再現するために単一の光学ユニットが採用される代わりに、２つの光学ユニットを提供するということにより、撮像されるべき眼に対する光学ヘッド１１ｂの調整作動が低減するという利点がある。
【００８９】
このように、眼底画像の取得は大幅により迅速になり、患者にとっての煩わしさも低減する。
【００９０】
更に、好適であるが排他的ではない本発明の研究成果の第２の実施例の変形形態において、検査装置１０は、２つの異なる眼を同時に、又は迅速に連続して検査するために隣り合っており、２つの検査位置に向けられている２つの検査ユニット１００を備える。
【００９１】
好ましくは、それらの検査ユニット１００の間の相対距離を調整し、検査されるべき眼の間の距離にそのような距離を適合させるための駆動手段が提供される。
【００９２】
本発明の研究成果の上記第２の実施例の変形形態を用いて、患者の両眼の眼底画像をそれぞれの検査ユニット１００によって同時に且つ独立して取得することが可能である。
【００９３】
したがって、本発明の研究成果による眼底検査装置は、上記の課題及び目標を達成し、特にこれは、従来の眼底検査装置よりも構造的に容易である。さらに、本発明の研究成果による眼底検査装置は、従来の眼底検査装置と比較して、主光軸に対する横断方向におけるサイズがより小さく、採用する光学構成要素、すなわち、レンズ又は光学ユニットを少なくすることを可能にし、これはすべて、組み立ての単純さ、維持管理、並びに、そのため全体的な製造及び管理費用にとって利点となる。本発明の研究成果による眼底検査装置はまた、従来のものと比較して可動構成要素が少なくなり、したがって機能不全又は故障の危険性が低減するという利点を呈する。本発明の研究成果による眼底検査装置の、従来のものと比較したさらなる利点は、本発明の研究成果による眼底検査装置が、網膜基底部の写真画像を、より迅速に、より効率的に、且つ患者にとって煩わしさが低減するように得ることを可能にすることである。
【００９４】
本発明の研究成果による眼底検査装置はまた、容易に組み立て可能であり、主光軸と同軸の第３の照明手段及び第４の照明手段を提供することにより、複雑な較正を回避することを可能にする。
【００９５】
このように着想された本発明の研究成果は、すべて添付の特許請求の範囲の保護範囲内に入る多数の修正及び変形を許容可能である。
【００９６】
さらに、すべての詳細は他の技術的に均等な要素に置き換えられてもよい。
【００９７】
実際に、採用される材料並びに付随する形状及びサイズは、付随する要件及び現行の技術水準に従って変化してもよい。
【００９８】
添付の特許請求の範囲において言及されている構造的特性及び技法の後にマーク又は参照番号がある場合、そのようなマーク又は参照番号は、特許請求の範囲自体の了解度を増大させることのみを目標として添えられており、したがって、マーク又は参照番号は決して、そのようなマーク又は参照符号によって例としてのみ識別されている各要素の解釈に対する限定を表していない。
【図１】
2016514536.tif 000003
【図２ａ】
2016514536.tif 000004
【図２ｂ】
2016514536.tif 000005
【図３】
2016514536.tif 000006
【図４】
2016514536.tif 000007
【図５ａ】
2016514536.tif 000008
【図５ｂ】
2016514536.tif 000009
【図５ｃ】
2016514536.tif 000010
【図５ｄ】
2016514536.tif 000011
【国際調査報告】
2016514536.tif 000012
2016514536.tif 000013